【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
管腔の周りに配設されている体組織への選択的な薬剤デリバリのためのカテーテル・システムであって、前記システムは、
間に軸を持つ近位端部および遠位端部を有し、さらに前記遠位端部近に径方向に膨張可能なバルーンと、前記バルーンの近くにあるエネルギーの伝送のための、前記膨張可能なバルーンの表面上に取り付けられた複数の電極を有するエネルギー・デリバリ部分とを備える細長いカテーテルと、
前記バルーンに結合された放出可能な薬剤を含み、前記膨張可能なバルーンが膨張するときに前記体組織に対して付勢されるように配向された熱変化可能なコーティングと、
前記熱変化可能なコーティングの全コーティングより小さいコーティングの一部を選択的に加熱および液化して前記薬剤を前記体組織に放出するために、１つまたは複数の前記電極を選択的に通電するように構成された制御器によって前記複数の電極に動作可能に結合されたエネルギー源と、
から構成され、
前記複数の電極は前記膨張可能なバルーンの周囲に配設された複数の二極性の電極対から成り、前記制御器は選択された前記複数の電極対に選択的に通電して、前記電極対の間にある前記熱変化可能なコーティング部分を加熱および液化して前記薬剤を前記体組織に放出するように構成されることを特徴とするカテーテル・システム。
【請求項２】
前記管腔の前記体組織は罹患した部分を含み、選択された電極対が前記罹患した部分の近位の前記熱変化可能なコーティングを選択的に加熱するように通電されることを特徴とする請求項１に記載のシステム。
【請求項３】
前記バルーンが前記管腔内で膨張されたときに前記組織内に複数のリモデリング・ゾーンを画定するため、前記エネルギー・デリバリ部分は前記膨張可能なバルーンの周りに配設された複数の電極を備え、前記電極はエネルギーが前記電極と前記組織の間に伝送されるように、前記組織と径方向に結合されることを特徴とする請求項１に記載のシステム。
【請求項４】
前記複数の電極を用いて、前記体組織を特徴付けるように構成された組織分析器をさらに備えることを特徴とする請求項１に記載のシステム。
【請求項５】
前記制御器は１つまたは複数の電極を選択的に通電して、前記組織分析器によって特徴付けられた前記体組織に応答して前記薬剤を放出するため、前記熱変化可能なコーティングを加熱するように構成されることを特徴とする請求項４に記載のシステム。
【請求項６】
前記エネルギー・デリバリ部分は、前記薬剤デリバリの前、その間および／またはその後で前記体組織を加熱するように通電されることを特徴とする請求項１に記載のシステム。
【請求項７】
前記熱変化可能なコーティングは、２つ以上の放出可能な薬剤を含むことを特徴とする請求項１に記載のシステム。
【請求項８】
前記薬剤は、付着せずに高い可能にするための潤滑剤、電極においてインピーダンスを低下させるための導電化合物、治療の必要が無い組織に対する治療を防止するための電気絶縁化合物、エネルギーを間質層に運ぶために組織の内皮層中を移動することが意図された導電化合物のうちいずれか１つ、またはこれらを組合せたものを含むことを特徴とする請求項１に記載のシステム。
【請求項９】
前記エネルギー源はＲＦエネルギー源であり、前記エネルギー・デリバリ部分はＲＦエネルギーを伝送するように構成されることを特徴とする請求項１に記載のシステム。
【請求項１０】
管腔の周りに配設されている体組織へ薬剤をデリバリするためのカテーテル・システムであって、前記システムは、
間に軸を持つ近位端部および遠位端部を有し、さらに前記遠位端部近に径方向に膨張可能なバルーンと、前記バルーンの近くにあるエネルギーの伝送のための、前記膨張可能なバルーンの表面上に取り付けられた複数の電極を有するエネルギー・デリバリ部分とを備える細長いカテーテルと、
前記バルーンに共有結合された熱放出可能な薬剤部分および不活性部分を有する複数の生体分子と、
制御器によって前記複数の電極に動作可能に結合されたエネルギー源と、
から構成され、
前記制御器は、前記バルーン全体より小さいの前記バルーンの選択部分と前記バルーンに共有結合された関連する前記生体分子を選択的に加熱して前記薬剤部分を前記体組織に放出するように構成され、  
前記複数の電極は前記膨張可能なバルーンに配設された複数の二極性の電極を備え、前記制御器は、選択された電極対の間にある前記バルーンの部分を加熱するために前記選択された電極対を選択的に通電し、その結果、関連する前記生体分子を加熱して前記薬剤部分を前記体組織に放出するように構成されることを特徴とする、カテーテル・システム。
【請求項１１】
前記管腔の前記体組織は罹患した部分を含み、前記罹患した部分の近位の前記生体分子を選択的に加熱するように選択された電極対が通電されることを特徴とする請求項１０に記載のシステム。
【請求項１２】
前記生体分子は、前記膨張可能なバルーンが膨張するときに前記体組織に対して付勢されるように配向されることを特徴とする請求項１０に記載のシステム。
【請求項１３】
前記複数の電極を用いて前記体組織を特徴付けるように構成された組織分析器をさらに備えることを特徴とする請求項１０に記載のシステム。
【請求項１４】
前記制御器は、１つまたは複数の電極を選択的に通電し、前記特徴付けられた体組織に応答して前記薬剤部分を放出するために前記生体分子を加熱するように構成されることを特徴とする請求項１３に記載のシステム。
【請求項１５】
前記エネルギー・デリバリ部分は、前記薬剤デリバリの前、その間および／またはその後で前記体組織を加熱するように通電されることを特徴とする請求項１０に記載のシステム。
【請求項１６】
前記生体分子は、２つ以上の放出可能な薬剤を含むことを特徴とする請求項１０に記載のシステム。
【請求項１７】
前記薬剤部分は、付着せずに高い温度を可能にするための潤滑剤、電極においてインピーダンスを低下させるための導電化合物、治療の必要が無い組織に対する治療を防止するための電気絶縁化合物、エネルギーを間質層に運ぶために組織の内皮層中を移動することが意図された導電化合物のうちのいずれか１つ、またはこれらの組合せを含むことを特徴とする請求項１０に記載のシステム。
【請求項１８】
管腔の周りに配設されている体組織へ選択的に流体をデリバリするためのカテーテル・システムであって、前記システムは、
近位端部および遠位端部を有する細長い可撓性のカテーテル本体と、
複数の電極が取り付けられている前記カテーテル本体の前記遠位端部近くにある、径方向に膨張可能な構造と、
前記膨張可能な構造が膨張するときに前記体組織に対して付勢されるように配向され、最初は熱変化可能な材料によってブロックされている複数の流体デリバリ・チャネルと、
前記流体デリバリ・チャネルの近位に制御器によって前記複数の電極に動作可能に結合されたエネルギー源コネクタと、
から構成され、
前記制御器は１つまたは複数の電極を選択的に通電して、前記熱変化可能な材料を加熱および液化し、流体放出に合わせて、前記流体デリバリ・チャネルの全体より小さい前記流体デリバリ・チャネルの一部を選択的に開放するように構成されることを特徴とするカテーテル・システム。
【請求項１９】
前記複数の流体デリバリ・チャネルは、前記膨張可能な構造から突き出て前記管腔の前記体組織を貫通することを特徴とする請求項１８に記載のシステム。
【請求項２０】
前記複数の電極を用いて前記体組織を特徴付けるように構成された組織分析器をさらに備えることを特徴とする請求項１８に記載のシステム。
【請求項２１】
前記流体デリバリ・チャネルは、前記特徴付けられた体組織に応答して１つまたは複数の流体デリバリ・チャネルを選択的に開放するように選択的に通電され得ることを特徴とする請求項２０に記載のシステム。
【請求項２２】
前記径方向に膨張可能な構造は膨張可能なバルーンを備え、前記流体デリバリ・チャネルは前記バルーンの円周上に取り付けられることを特徴とする請求項１８に記載のシステム。
【請求項２３】
前記径方向に膨張可能な構造は膨張可能なバスケットを備え、前記流体デリバリ・チャネルは前記バスケットの円周上に取り付けられることを特徴とする請求項１８に記載のシステム。
【請求項２４】
前記管腔の前記体組織は罹患した部分を有し、前記制御器は、選択された電極を選択的に通電し、前記罹患した部分の近位の１つまたは複数の流体デリバリ・チャネルを選択的に開放するように構成されることを特徴とする請求項１８に記載のシステム。
【請求項２５】
前記制御器は、選択された電極を選択的に通電して前記管腔内の前記流体の放出と共に前記体組織を加熱するように構成されることを特徴とする請求項１８に記載のシステム。
【請求項２６】
前記流体は、付着せずに高い温度を可能にするための潤滑剤、電極においてインピーダンスを低下させるための導電化合物、治療の必要が無い組織に対する治療を防止するための電気絶縁化合物、エネルギーを間質層に運ぶために組織の内皮層中を移動することが意図された導電化合物のいずれか１つ、またはこれらの組合せを含むことを特徴とする請求項１８に記載のシステム。
【請求項２７】
管腔の周りに配設されている体組織への選択的に流体をデリバリするのためのカテーテル・システムであって、前記システムは、
近位端部および遠位端部を有する細長い可撓性のカテーテル本体と、
前記カテーテル本体の前記遠位端部近くの径方向に膨張可能な構造と、
前記膨張可能な構造が膨張するときに前記管腔の前記体組織に対して付勢されるように配向された、最初は閉鎖されている複数の流体デリバリ・チャネルと、
前記デリバリチャネルに制御器によって結合された複数の微小電気機械システム（ＭＥＭＳ）と、
から構成され、
前記制御器は、１つまたは複数の前記微小電気機械システムを選択的に活性化して、１つまたは複数の流体デリバリチャネルを選択的に開放し、前記管腔内で流体を放出するように構成されることを特徴とするカテーテル・システム。
【請求項２８】
前記流体は、付着せずに高い温度を可能にするための潤滑剤、電極においてインピーダンスを低下させるための導電化合物、治療の必要が無い組織に対する治療を防止するための電気絶縁化合物、エネルギーを間質層に運ぶために組織の内皮層中を移動することが意図された導電化合物のいずれか１つ、またはこれら組合せを含むことを特徴とする請求項２７に記載のシステム。